(57)【要約】【課題】動力が不要で、簡単な構造で安価であり、簡易な作業で原木の表面の汚れを効率よく除去することができる原木洗浄装置を提供する。【解決手段】原木１２を載せてその軸方向に手動で移動させるローラコンベア１４と、ローラコンベア１４の走行方向の途中に設けられ、ローラコンベア１４の一部を覆う洗浄チャンバー２０を備える。洗浄チャンバー２０の内側に設けられ、ローラコンベア１４の走行方向に対して交差する仮想面に設けられ、ローラコンベア１４の走行方向中心を一周するように環状のパイプ４２を備える。パイプ４２の近傍にローラコンベア１４の走行方向に交差して設けられローラコンベア１４とほぼ同じ高さでパイプ４２の環状の中心に対向する部分が低く形成され、この低い部分に原木１２が位置決めされる保持部材５４を有する。パイプ４２は、パイプ４２の環状の中心に向かって洗浄液を噴射する複数個のノズル４４を備える。【選択図】図１
2014103880.tif 000002
【特許請求の範囲】
【請求項１】
木の幹や枝を切断した原木を載せて前記原木の軸方向に手動で移動させるローラコンベアと、前記ローラコンベアの走行方向の途中に設けられ前記ローラコンベアの一部を覆う洗浄チャンバーと、前記洗浄チャンバーの内側に設けられ前記ローラコンベアの走行方向に対して交差する仮想面に設けられ前記ローラコンベア上の中心を一周する環状のパイプと、前記パイプの近傍に前記ローラコンベアの走行方向に交差して設けられ前記ローラコンベアとほぼ同じ高さで前記パイプの環状の中心に対向する部分が低く形成されこの低い部分に前記原木が位置決めされる保持部材が設けられ、前記パイプには、前記パイプの環状の中心に向かって洗浄液を噴射する複数個のノズルが設けられ前記ノズルから前記パイプの環状の中心に向かって洗浄水を噴射して原木の側周面に当てて汚れを除去することを特徴とする原木洗浄装置。
【請求項２】
互いに対向する複数個の前記ノズルは、噴射方向が１８０°反対方向に一致しないように、噴射方向をずらして取り付けられ、前記原木に対して上、下、左、右と、斜め方向に設けられている請求項１記載の原木洗浄装置。
【請求項３】
前記パイプの前記ローラコンベアの走行方向の両側に設けられ、前記ローラコンベアとほぼ同じ高さで前記ローラコンベアの中心に対向する部分が低くなるＶ字形の保持部材が設けられている請求項１記載の原木洗浄装置。
【請求項４】
前記ローラコンベアは、構造材で組み立てられた基台の上面に位置する枠体に取り付けられ、前記洗浄チャンバーは、前記枠体に取り付けられた支柱と、前記支柱に取り付けられた板体により構成され、前記洗浄チャンバーの前記ローラコンベアの走行方向に平行な長さは、一人の作業者が両手を開いて両側に位置する一対の板体に届く長さであり、前記洗浄チャンバーから突出する前記原木の一対の端部を同時に保持可能に形成されている請求項１記載の原木洗浄装置。
【発明の詳細な説明】
【技術分野】
【０００１】
この発明は、凹凸を有する原木の表面から汚れを除去する原木洗浄装置に関する。
【背景技術】
【０００２】
従来、木の幹や枝を切断した原木からきのこ栽培用のほだ木を製造する工程において、原木の表面に付着している異物や雑菌、放射性物質等の汚れを洗浄する必要がある。ほだ木の製造現場の多くでは、原木を手作業で洗浄しており、作業者の負担が大きいものであった。原木は、曲がったり短かったり形状が一定でないため、きれいに洗浄することが面倒であった。そして、原木を効率よく洗浄するための装置も大規模生産者向けに提供されていた。
【０００３】
特許文献１に開示されている榾木用洗浄装置は、ほだ木を搬送する搬入コンベアと、搬入コンベアの下流側に連続して設けられている搬出コンベアと、搬入コンベアと搬出コンベアの連続する位置を覆う洗浄チャンバーが設けられ、洗浄チャンバーは、搬入コンベアが入る入口と搬出コンベアが出る出口が設けられた箱形であり、入口から少し入ったところには搬入コンベアと搬出コンベアの境界部分に設けられ下方から上方に向かって洗浄水を噴射する下方スプレーノズルが設けられ、下方スプレーノズルの下流側には搬出コンベアの下方から上方に向かって洗浄水を噴射する上方スプレーノズルが設けられている。これらの装置は、アングルで組み立てられた基台の上に取り付けられている。
【先行技術文献】
【特許文献】
【０００４】
【特許文献１】特開平５−３０８５２号公報
【発明の概要】
【発明が解決しようとする課題】
【０００５】
上記背景技術の場合、搬入コンベアと搬出コンベアは電力で駆動されているものであり、大掛かりでコストがかかるものであり、手軽に導入可能なものではなかった。さらに、水を噴射するノズルと配管が上下に別々に設けられ、送り方向にも位置をずらして配置され、装置全体としても大がかりなものとなっていた。従って、高価な装置となり、椎茸栽培農家等には導入できないものであった。
【０００６】
この発明は、上記背景技術の問題点に鑑みてなされたものであり、動力が不要で簡単な構造で安価であり、簡易な作業で原木の表面の汚れを効率よく除去することができる原木洗浄装置を提供することを目的とする。
【課題を解決するための手段】
【０００７】
本発明は、木の幹や枝を切断した原木を載せて原木の軸方向に手動で移動させるローラコンベアと、前記ローラコンベアの走行方向の途中に設けられ前記ローラコンベアの一部を覆う洗浄チャンバーと、前記洗浄チャンバーの内側に設けられ前記ローラコンベアの走行方向に対して交差する仮想面に設けられ前記ローラコンベア上の中心を一周する環状のパイプと、前記パイプの近傍に前記ローラコンベアの走行方向に交差して設けられ前記ローラコンベアとほぼ同じ高さで前記パイプの環状の中心に対向する部分が低く形成されこの低い部分に前記原木が位置決めされる保持部材が設けられ、前記パイプには、前記パイプの環状の中心に向かって洗浄液を噴射する複数個のノズルが設けられ、前記ノズルから前記パイプの環状の中心に向かって洗浄水を噴射して原木の側周面に当てて汚れを除去する原木洗浄装置である。
【０００８】
互いに対向する複数個の前記ノズルは、噴射方向が１８０°反対方向に一致しないように、噴射方向をずらして取り付けられ、前記原木に対して上、下、左、右と、斜め方向に設けられているものである。
【０００９】
前記パイプの前記ローラコンベアの走行方向の両側に設けられ、前記ローラコンベアとほぼ同じ高さで前記ローラコンベアの中心に対向する部分が低くなるＶ字形の保持部材が設けられているものである。
【００１０】
前記ローラコンベアは、構造材で組み立てられた基台の上面に位置する枠体に取り付けられ、前記洗浄チャンバーは、前記枠体に取り付けられた支柱と、前記支柱に取り付けられた板体により構成され、前記洗浄チャンバーの前記ローラコンベアの走行方向に平行な長さは、一人の作業者が両手を開いて両側に位置する一対の板体に届く長さであり、前記洗浄チャンバーから突出する前記原木の一対の端部を同時に保持可能に形成されているものである。
【発明の効果】
【００１１】
本発明の原木洗浄装置は、ローラコンベアを使用した簡単な構造で安価であり、簡単な作業で原木の表面の汚れを効率よく除去することができる。さらに、原木からほだ木を製造する工程で、作業者の負担を軽減し、生産効率を上げることができる。特に、原木は、曲がったり短かったり形状が一定でないが、形状が揃っていなくても確実に洗浄することができる。しかも、動力が不要で構造が簡単であり、コンパクトな形状で操作しやすいものである。
【図面の簡単な説明】
【００１２】
【図１】この発明の一実施形態の原木洗浄装置の部分破断斜視図である。
【図２】この実施形態の原木洗浄装置の部分破断斜視図である。
【図３】この実施形態の原木洗浄装置の洗浄チャンバーの斜視図である。
【図４】この実施形態の原木洗浄装置の平面図である。
【図５】この実施形態の原木洗浄装置の正面図である。
【図６】この実施形態の原木洗浄装置の左側面図である。
【図７】この実施形態のノズルが設けられたパイプの部分拡大図である。
【発明を実施するための形態】
【００１３】
以下、この発明の実施形態について図面に基づいて説明する。図１〜図７はこの発明の一実施形態を示すもので、この実施形態の原木洗浄装置１０は、椎茸栽培用の木の幹や枝を切断した原木１２を載せて一方向に往復可能に移動させるローラコンベア１４が設けられている。ローラコンベア１４は、アングル材等の構造材で組み立てられた基台１６の上面となる細長い矩形の枠体１８に取り付けられ、枠体１８の長手方向が原木１２の走行方向であり、ローラコンベア１４は枠体１８の長手方向に平行な一対の辺１８ａに、枠体１８の長手方向に対して直角に複数個のローラが取り付けられている。各ローラは自由回転可能に取り付けられ、互いに平行で等間隔に取り付けられている。ローラコンベア１４の上面に原木１２を載せて押すと各ローラが軸周りに回転して原木１２を容易に移動することができる。
【００１４】
ローラコンベア１４の走行方向の途中には、ローラコンベア１４を覆う洗浄チャンバー２０が設けられている。洗浄チャンバー２０は、枠体１８の、ローラコンベア１４の走行方向に平行な一対の辺１８ａに取り付けられた互いに対向する２対の支柱２２が合計４本、上方に立ち上がって設けられ、各支柱２２の上端部には、上面となる矩形の枠体２４が取り付けられている。枠体１８，２４、支柱２２は、互いに交差する部分に直角三角形のジョイント部材２６が設けられて、互いに連結されている。支柱２２、枠体２４で組み立てられる上面と４個の側面は、図３に示すように透明な板体で閉鎖されて、上面３０、側面３２，３４，３６，３８として形成されている。ローラコンベア１４の走行方向に直角に交差する一対の側面３２，３６には、ローラコンベア１４に載せられた原木１２が出入りする半円形状の切欠部である出入口４０が各々設けられている。上面３０の内側には、後述するパイプ４２を取り付ける保持板３１が、ローラコンベア１４の走行方向に平行に枠体２４に渡して取り付けられている。側面３４，３８の内側にも同様に、後述するパイプ４２を取り付ける保持板３５，３９が、ローラコンベア１４の走行方向に平行に支柱２２に渡して取り付けられている。
【００１５】
洗浄チャンバー２０の内側には、ローラコンベア１４の走行方向に直角に交差する仮想面に設けられローラコンベア１４の走行方向中心を一周するように、環状のパイプ４２が設けられている。パイプ４２には、パイプ４２の環状の中心に向かう複数個のノズル４４が設けられている。ノズル４４は、環状のパイプ４２の中心をローラコンベア１４で移動する原木１２に向かって水等の洗浄液７０を噴射して原木１２の表面に当てて汚れを除去するものである。ノズル４４は、ローラコンベア１４に対して上下、左右と、その間に位置する斜め４方向の、合計８個が設けられている。ノズル４４の噴射方向は、図７に示すように、噴射方向が対向するノズル４４同士で、１８０°反対方向に一致しないように、噴射方向をずらして取り付けられている。
【００１６】
パイプ４２の一方の端部は、上面３０のほぼ中心に設けられた透孔４５に挿通されて洗浄チャンバー２０の外側に突出し、圧力計４６が設けられている。圧力計４６が設けられた端部は、洗浄チャンバー２０の中で、上面３０と保持板３１の内側に沿って側面３４に近づく方向に延出し、保持板３１にΩ形の取付金具４８で固定されている。さらに側面３４と保持板３５の内側に沿って下方に延出し、保持板３５に取付金具４８で固定されている。さらに、枠体１８の下方に延出し、ローラコンベア１４の下をローラコンベア１４の走行方向に交差して水平に側面３８に近づく方向に延出し、途中に図示しない水抜きコックが設けられている。パイプ４２は、さらに側面３８と保持板３９の内側に沿って上面３０に近づく方向に延出し、保持板３９に取付金具４８で固定されている。さらに、上面３０の内側に沿って上面３０の中心に近づく方向に延出し、上面３０の中心で透孔４５近傍に設けられた透孔５０に挿通されて洗浄チャンバー２０の外側に突出する。透孔５０から突出したパイプ４２は、上面３０の外側に沿って側面３８に近づく方向に延出し、途中に開閉弁５２が設けられている。さらに、上面３０の端部に達して直角に曲がって側面３８の外側に沿って下方に延出し、図示しない電動ポンプ等から成る動力噴霧機に接続されている。
【００１７】
洗浄チャンバー２０の内側には、パイプ４２の近傍でローラコンベア１４の走行方向の両側に、保持部材５４が設けられている。洗浄チャンバー２０の内側には、保持部材５４を取り付ける棒部材５６が枠体１８の辺１８ａに渡して取り付けられ、棒部材５６は、ローラコンベア１４とほぼ同じ高さでローラコンベア１４の走行方向に対して直角に設けられている。棒部材５６の中間位置には、保持部材５４を取り付ける固定板５８が設けられている。固定板５８は、棒部材５６のパイプ４２と反対側の面に側面がほぼ垂直となるように取り付けられ、上端部には上端部の中間が低くなるようにＶ字形の切欠部が設けられている。保持部材５４は、２個の半円筒状の板体を凸になる湾曲面を上方に向けて軸方向を固定板５８の上端部に直列に並べて設けられ、互いに連接する端部同士の高さがＶ字形に低くなっている。保持部材５４のＶ字状の各辺の中央部は、ローラコンベア１４とほぼ同じ高さに設けられ、ローラコンベア１４の中心に対向する部分がローラコンベア１４よりも低くなっている。
【００１８】
洗浄チャンバー２０の、ローラコンベア１４の走行方向に平行な長さは、一人の作業者が両手を開いて側面３２，３６に届く長さであり、ローラ１４に載せられている原木１２の端部が洗浄チャンバー２０の出入口４０から各々突出した時に、原木１２の端部を同時に保持して移動することができる。
【００１９】
枠体１８の下端部には板状の底部材６０が取り付けられ、枠体１８と底部材６０により、ローラ１４の下方に凹状のシンク形部材が形成される。底部材６０には排水口６２が両端部に１個づつ設けられ、排水口６２には図示しないホースが連結され、ホースの先端は排水管６４に連結されている。排水管６４は、基台１６の内側下方に、ローラコンベア１４の走行方向に沿って設けられ、排水管６４の先端は図示しない排水溝や貯水タンク等に連結されている。
【００２０】
基台１６の下端部の角部には、キャスタ６６と支持部材６８が各々１個ずつ設けられている。移動する時はキャスタ６６を使用し、固定する時は支持部材６８を使用する。
【００２１】
次に、原木洗浄装置１０の使用方法について説明する。まず、パイプ４２に接続された、図示しない動力噴霧機のスイッチを入れる。この後、開閉弁５２を開けてパイプ４２に高圧の洗浄液７０を流す。洗浄液７０の成分は、単なる水でもよく、消毒薬等が含まれていてもよい。洗浄液７０の圧力は、圧力計４６で確認し開閉弁５２等で調節する。パイプ４２のノズル４４から洗浄液７０が噴射され、図７に示すようにパイプ４２の環状の中心に向かって集まる。このとき、互いに対向するノズル４４の噴射方向は正確に１８０°反対方向には一致しないようにずらしているため、噴射する洗浄液７０が衝突して跳ね返る量が少ない。そして、図１、図４〜図６に示すように、ローラコンベア１４の上に原木１２を置いて移動させ、原木１２を洗浄チャンバー２０の出入口４０から中に入れる。原木１２はＶ字形に位置する保持部材５４に載せられ、パイプ４２の環状の中心に位置決めされ、パイプ４２のノズル４４から噴射される洗浄液７０が、上下左右と斜めの８方向から均等にまんべんなく当たり、原木１２の表面の汚れを落とす。洗浄チャンバー２０のローラコンベア１４の走行方向に平行な長さは短いため、一人の作業者が、洗浄チャンバー２０の両側の出入口４０から各々突出した原木１２の端部を同時に保持して移動させながら、均等に洗浄する。原木１２の汚れが多いところは移動を止めたり、送り速度をゆっくりにしたり往復させたり等、集中的に洗浄する。洗浄に使用した洗浄液７０は底部材６０にたまり、排水口６２から排水管６４に流れて排出される。洗浄が終わった原木１２は、ローラコンベア１４上を移動させて、洗浄チャンバー２０の一方の出入口４０から出してローラコンベア１４の端部に移動し、図示しない保存容器等に移す。原木１２の洗浄作業が終了したら、逆の手順で、開閉弁５２を締め、噴霧機のスイッチを切る。パイプ４２の途中に設けられた図示しない水抜きコックを開き、パイプ４２の中の洗浄液７０を出す。
【００２２】
この実施形態の原木洗浄装置１０によれば、ほだ木の製造工程で原木１２の洗浄を効率よく行うことができる。ローラコンベア１４はフリー回転し、手動で動かすものであり、原木１２を移動させる動力が不要である。このため構造がシンプルで装置が簡単で安価であり、小規模な椎茸栽培農家でも購入可能であり、広く普及させることができる。手作業で洗浄する場合に比べて、原木１２を軸周りに回転させたり持ち上げたりすることがないため作業者の負担が軽減され、短時間で確実に洗浄することができる。パイプ４２が原木１２を囲む環状であり、原木１２の上下左右、斜めのいろいろな方向から均等にまんべんなく洗浄液７０を当てることができ、パイプ４２を通過させるだけで簡単に洗浄することができる。上面３０、側面３２、３４、３６、３８は透明な板体で設けられ、原木１２の汚れを目で確認しながら洗浄することができ、汚れがひどい部分は原木１２の送り速度をゆっくりしたり止めたり、往復させたりして集中的に洗浄することができる。洗浄部分の構造は、パイプ４２が１本設けられただけのコンパクトな形状であり、場所を取らず軽量で、移動や保管もしやすいものである。原木１２は、曲がったり短かったり形状が一定でないが、形状が揃っていなくてもきれいに洗浄することができ、原木１２がパイプ４２の環状内を通過して洗浄される時は、保持部材５４に載せられ、保持部材５４はＶ字形であるため、原木１２ががたついたり落ちたりすることがなく安定し、洗浄チャンバー２０の中心で洗浄液７０が均等に当たるように位置決めされて、安全で確実に洗浄することができる。さらに、対向するノズル４４の噴射方向は１８０°反対側に一致しないようにずらしているため、原木１２がないときに噴射する洗浄液７０が、互いに衝突して跳ね返る量が少ない。洗浄液７０は、原木１２の有無にかかわらず洗浄チャンバー２０内で少し跳ねるが、洗浄チャンバー２０はパイプ４２から少し空間を設けて余裕を持って設けられ、また側面３２、３６の出入口４０も小さいため、外に洗浄液７０が飛び散ることがなく、作業者や周囲が汚れることがなく衛生的である。パイプ４２の途中には水抜きコックが設けられ、使用しないときは洗浄液７０をパイプ４２から抜くことができ、管理しやすく、また冬季の凍結による破損を防ぐことができる。
【００２３】
なお、この実施形態の原木洗浄装置は、上記実施形態以外でもよく、パイプの位置や形状は原木を囲むものであればよく、自由に変更可能であり、パイプが環状に２本以上設けられてもよい。ノズルの位置や数も自由に変更可能であり、原木をまんべんなく囲むものであればよい。保持部材の形状は上記以外でもよく、原木を安定して摺動可能に保持するものであればよい。
【符号の説明】
【００２４】
１０  原木洗浄装置
１２  原木
１４  ローラコンベア
１６  基台
１８，２４  枠体
２０  洗浄チャンバー
２２  支柱
３０  上面
３２，３４，３６，３８  側面
４０  出入口
４２  パイプ
４４  ノズル
４６  圧力計
５２  開閉弁
５４  保持部材
６０  底部材
６２  排水口
６４  排水管
６６  キャスタ
６８  支持部材
【図１】
2014103880.tif 000003
【図２】
2014103880.tif 000004
【図３】
2014103880.tif 000005
【図４】
2014103880.tif 000006
【図５】
2014103880.tif 000007
【図６】
2014103880.tif 000008
【図７】
2014103880.tif 000009